(57)【要約】【課題】タブレットやスマートフォンを手に取って背凭れに凭れ掛かって作業をする場合でも快適に作業を行うことができる椅子を提供する。【解決手段】本発明に係る椅子１は、座３の後側に後傾動可能に設けられる背凭れ４と、平坦面部１１ａを有して前記背凭れ４の後傾動と連動し前記背凭れ４から前方に向けて突設される左右二箇所の肘掛部１１と、を備え、前記平坦面部１１ａは、後方側よりも前方側が下方に向くよう傾斜して設けられる。【選択図】  図１
2017108933.tif 000002
【特許請求の範囲】
【請求項１】
座の後側に後傾動可能に設けられる背凭れと、
平坦面部を有して前記背凭れの後傾動と連動し前記背凭れから前方に向けて突設される左右二箇所の肘掛部と、
を備え、
前記平坦面部は、後方側よりも前方側が下方に向くよう傾斜して設けられることを特徴とする椅子。
【請求項２】
前記肘掛部は、前記背凭れの左右両端縁近傍に設けられ、
前記平坦面部は、前記背凭れの両端縁部近傍後面側まで延設されることを特徴とする請求項１に記載の椅子。
【請求項３】
前記背凭れは、上部に面取り部が設けられることを特徴とする請求項１又は請求項２に記載の椅子。
【請求項４】
前記肘掛部は、前記背凭れの後面側に亘って設けられる接続部により接続されていることを特徴とする請求項１乃至請求項３の何れか記載の椅子。
【請求項５】
前記平坦面部の先端は、前記座の前後方向における中心線よりも後方側に位置されることを特徴とする請求項１乃至請求項４の何れか記載の椅子。
【発明の詳細な説明】
【技術分野】
【０００１】
本発明は、背凭れを備える椅子に関する。
【背景技術】
【０００２】
従来から、オフィス等において使用者が事務作業を快適に行うことができるようにした椅子が種々開発されている。例えば、特許文献１に開示される椅子は、床上を移動可能な事務用椅子に肘掛けが備えられている。この肘掛けにおける肘が当たる肘当ては、昇降機構により座面に対して昇降可能に設けられる。そして、この昇降機構は、肘掛けの支柱本体に取り付けられて下方が開口して収容部が形成されるカバー部材によりその一部が内装されている。これにより、使用者の体格に合わせて肘掛けの位置を変更できる昇降機構をコンパクトに形成することができる。
【先行技術文献】
【特許文献】
【０００３】
【特許文献１】特開２００６−１０１９５２号公報
【発明の概要】
【発明が解決しようとする課題】
【０００４】
特許文献１で開示される椅子を一例とする従来の椅子は、オフィス等における事務作業として、机上での筆記作業やパソコンを用いたキー入力作業が想定されてきた。しかしながら近年、机上での筆記作業やパソコンのキー入力作業に加えて、タブレットやスマートフォンでの事務作業が増加してきた。タブレットやスマートフォンでの事務作業では、筆記作業やキー入力作業と同様の姿勢で操作することもあるが、タブレットやスマートフォンを手に持って背凭れに凭れ掛かりながら作業する場合もある。
【０００５】
ここで、特許文献１で開示される椅子を一例とする従来の椅子における肘掛けは、机上での筆記作業やパソコンでのキー入力作業を行う姿勢で肘をつける位置に設定されている。従って、従来の椅子でタブレットやスマートフォンを手に持って背凭れに凭れ掛かる場合、肘掛けの位置はそのままで背凭れが後傾するので肘をつく位置が不自然となり、非常に作業がし難い場合がある。また、肘掛けの無い椅子でタブレットやスマートフォンを手に持って背凭れに凭れ掛かって作業する場合には、作業中は肘を上げる格好となり、快適な作業姿勢とは言い難い。
【０００６】
本発明は、パソコン作業や筆記作業等の従来の事務作業を行うことができるとともに、タブレットやスマートフォンを手に取って背凭れに凭れ掛かって作業をする場合でも快適に作業を行うことができる椅子を提供することを目的とする。
【課題を解決するための手段】
【０００７】
本発明に係る椅子は、座の後側に後傾動可能に設けられる背凭れと、平坦面部を有して前記背凭れの後傾動と連動し前記背凭れから前方に向けて突設される左右二箇所の肘掛部と、を備え、前記平坦面部は、後方側よりも前方側が下方に向くよう傾斜して設けられる。
【発明の効果】
【０００８】
本発明によれば、背凭れに凭れ掛かって背凭れが後傾動すると肘掛部の平坦面部が床面と略平行になる。従って、背凭れに凭れ掛かってタブレットやスマートフォンを手に取って作業をする場合であっても、使用者は平坦面部に自然な状態で肘をつくことができる。従って、使用者は、快適にタブレットやスマートフォンで作業を行うことができる。
【図面の簡単な説明】
【０００９】
【図１】本発明の第１実施形態に係る椅子を前方左側から見た斜視図である。
【図２】本発明の第１実施形態に係る椅子を後方右側から見た斜視図である。
【図３】本発明の第１実施形態に係る椅子であり、（ａ）は上面図を示し、（ｂ）は側面図を示す。
【図４】本発明の第１実施形態に係る椅子の使用状態を示す側面図である。
【図５】本発明の第２実施形態に係る椅子を前方左側から見た斜視図である。
【図６】本発明の第２実施形態に係る椅子を後方右側から見た斜視図である。
【図７】本発明の第２実施形態に係る椅子であり、（ａ）は上面図を示し、（ｂ）は側面図を示す。
【図８】本発明の第３実施形態に係る椅子であり、（ａ）は上面図を示し、（ｂ）は正面図を示す。
【発明を実施するための形態】
【００１０】
（第１実施形態）
次に、図１〜図４に基づいて、本発明の第１実施形態を説明する。図１及び図２に示す椅子１は、複数のキャスター２ａを備える脚２と、座３と、座３の後側に設けられる背凭れ４を備える。座３の下面には、リクライニング機構５が設けられている。脚２は、このリクライニング機構５を介して座３と接続されている。なお、以下の説明においては、椅子１に着座した場合における前方を前、後方を後ろとし、左側を左、右側を右として説明する。
【００１１】
リクライニング機構５には、背アーム５ａが設けられている。詳細は図示しないが、背アーム５ａの一方端は、リクライニング機構５に上下に回動自在に設けられる。そして、背アーム５ａは、コイルばねにより弾発されて支持される。背アーム５ａの他端側は、背凭れ４の内部に収められて、背凭れ４に固定される。従って、リクライニング機構５により、背凭れ４は、使用者が着座状態で背凭れ４に背中を凭れ掛かれば背凭れ４が後傾動するようリクライニング可能に形成されている。なお、リクライニング機構５は、公知の構造を用いることができる。
【００１２】
背凭れ４には、肘掛ユニット１０が設けられている。肘掛ユニット１０には、平板状に形成される肘掛部１１が背凭れ４の左右両端縁近傍から前方に向けて突設される。図３（ａ）に示されるように、各肘掛部１１の先端は、内側のＲが大きく外側のＲが小さくなるようＲ面取りされている。そして、各肘掛部１１の上面は、それぞれ使用者の肘が当接される平坦面部１１ａとされている。
【００１３】
各肘掛部１１の後端は、図２に特に示されるように、背凭れ４の後面側左右に亘って設けられる接続部１１ｂにより接続されている。肘掛部１１と接続部１１ｂとの接続部分は、図３（ａ）に特に示されるように、外側に凸とされる曲線状に形成されて、滑らかに接続されている。従って、各肘掛部１１及び接続部１１ｂは、背凭れ４の側方から後側に亘って曲線状に囲繞するように配置されているので、角部が形成されず使い勝手が良くなるとともに椅子の意匠性が向上される。
【００１４】
接続部１１ｂの上面は、左右の平坦面部１１ａと連続した面とされている。接続部１１ｂの前後方向の幅は、椅子１の左右方向の中心に近いほど漸次狭くなるよう形成されている。使用者は、接続部１１ｂを利用して、ハンガーや小物入れ等を接続部１１ｂに掛けて使用することができる。また、接続部１１ｂには、ストール等の衣類を直接掛けることもできる。さらに、接続部１１ｂは、着座する際における椅子１を引くハンドルとしても利用することができる。
【００１５】
また、図２に示されるように、各肘掛部１１の後方側であって接続部１１ｂの下方には、後面視略Ｕ字状の肘掛アーム１１ｃが接続されている。肘掛アーム１１ｃは、前述のＵ字状の開口における２つの端部が各肘掛部１１の後方側と接続されている。そして、前述の接続部１１ｂと、この肘掛アーム１１ｃにより、開口部１２が形成されている。この開口部１２には、固定板１３が設けられている。具体的には、固定板１３は、開口部１２内で上部が凹状に切り欠かれて形成されている。この凹状に切り欠かれた固定板１３の上方側左右それぞれには、板状のねじ固定部１３ａが形成されている。ねじ固定部１３ａは、ねじ固定部１３ａの孔にねじが相通されて、このねじにより背凭れ４の後面に固定される。このようにして、肘掛ユニット１０は背凭れ４に固定される。従って、肘掛ユニット１０（肘掛部１１）は、背凭れ４の後傾動と連動する。
【００１６】
ここで、図３（ｂ）に示すように、肘掛部１１の平坦面部１１ａは、後方側よりも前方側が下方に向くよう傾斜角αで傾斜して設けられている。このときの傾斜角αは、本実施形態においては５度とされている。これにより、図４に示すように、使用者Ｈが背凭れ４に凭れ掛かって背凭れ４が後傾動すると、肘掛部１１の平坦面部１１ａは床面Ｔと略平行となる。従って、使用者Ｈが背凭れ４に凭れ掛かってタブレットＳ（又はスマートフォン）を手に取って作業する場合には、使用者Ｈは、肘掛部１１の平坦面部１１ａに自然な状態で肘をつくことができるので、より楽な姿勢でタブレットＳ（又はスマートフォン）を使用した作業を行うことができる。なお、肘掛部１１の平坦面部１１ａにおける傾斜角αは、３度〜６度程度に設定すると、背凭れ４の後傾動により、床面Ｔに対して略平行とすることができるので好適である。
【００１７】
さらに、肘掛部１１の平坦面部１１ａは、図３（ａ）のＰ部に示されるように、背凭れ４の両端縁部近傍後面側まで延設されている。従って、この肘掛部１１によれば、後傾した背凭れ４に背中を凭れ掛かった使用者Ｈの肘が背凭れ４の左右両端縁部の後面側であるＰ部に位置しても、確実に使用者の肘を支持することができる。
【００１８】
また、図３（ａ）に示すように、肘掛部１１の先端は、座３の前後方向における中心線ＣＬよりも後方側に位置される。これにより使用者は、着座又は椅子から離れる際に肘掛部１１が邪魔になる恐れが低減するとともに、タブレットやスマートフォンを使用する際に肘をつくのに十分な面積の肘掛部１１を得ることができる。
【００１９】
さらに、使用者が背凭れ４に凭れ掛からずに事務作業等を行う場合には、傾斜して設けられる平坦面部１１ａに肘が当たる位置を自分で調節することにより、肘を置く位置の高さを微妙に変化させることができる。従って、使用者の体格に合わせた肘の位置の調節を精度よく行うことができる。
【００２０】
（第２実施形態）
次に、本発明に係る第２実施形態の椅子１Ａを図５〜図７に基づいて説明する。なお、第１実施形態の椅子１と同じ部材や箇所については同じ符号を付して、その説明は省略または簡略化する。
【００２１】
図５及び図６に示すように、本実施形態に係る椅子１Ａの背凭れ４Ａは複数の孔が設けられて、メッシュ状に形成されている。この背凭れ４Ａには、肘掛ユニット２０が設けられている。肘掛ユニット２０は、前述の第１実施形態と同様に、肘掛部２１、平坦面部２１ａ、接続部２１ｂ（図６参照）が備えられている。肘掛ユニット２０の肘掛アーム２１ｃは、接続部２１ｂの左右方向の中央位置から下方に向けて延在する。肘掛アーム２１ｃは、詳細は図示していないが、横断面視略コ字状に形成されており、リクライニング機構５の背アーム５ａを囲うようにして背アーム５ａに固定されている。
【００２２】
各肘掛部２１と接続部２１ｂの接続部分近傍における前側には、２箇所の固定部２１ｄが設けられている。さらに、肘掛アーム２１ｃの上下方向における中央位置前方には、背凭れ４Ａの下部と接続される固定部２１ｅが突設されている。肘掛ユニット２０は、これらの固定部２１ｄ，２１ｅにより背凭れ４Ａと連結し固定される。
【００２３】
本実施形態においても、第１実施形態と同様に、肘掛ユニット２０は、背凭れ４Ａの後傾動と連動する。そして、図７（ｂ）に示すように、肘掛部２１は、後方側よりも前方側が下方に向くよう傾斜角βで傾斜して設けられている。従って、第１実施形態と同様に、使用者が背凭れに凭れた状態でタブレットやスマートフォンを手に持って作業する場合に、使用者の肘は肘掛部２１の平坦面部２１ａに支持される。なお、本実施形態においては、傾斜角βは３度とされている。
【００２４】
また、本実施形態においても、第１実施形態と同様に、肘掛部２１の先端は、座３の前後方向の中心線ＣＬよりも後方側に位置している。
【００２５】
（第３実施形態）
次に、本発明に係る第３実施形態の椅子１Ｂを図８に基づいて説明する。なお、第１実施形態の椅子１と同じ部材や箇所については同じ符号を付して、その説明は省略または簡略化する。肘掛ユニット３０には、第１実施形態と同様に、開口部（１２）に固定板（１３）が備えられて、背凭れ４Ｂに固定されている。また、肘掛ユニット３０は、第１実施形態と同様に、肘掛部３１、平坦面部３１ａ、接続部３１ｂ、肘掛アーム３１ｃを備える。平坦面部３１ａは、前方側が後方側よりも下方に向くよう傾斜して形成されている。
【００２６】
本実施形態の椅子１Ｂは、第１実施形態の椅子１の肘掛部１１をさらに前方に伸ばして、図８（ａ）に示す肘掛部３１とした。そして、肘掛部３１の先端は、上面視において左右の角部が凸湾曲状となるよう形成した。なお、本実施形態における肘掛部３１の先端も、椅子１Ｂにおける座３の前後方向の中心線ＣＬよりも後方に位置している。従って、使用者は、着座する際又は立ち上がる際に肘掛部３１と干渉してしまうことが低減される。
【００２７】
さらに、本実施形態における背凭れ４Ｂは、図８（ｂ）に示されるように、左右両端縁の上部がそれぞれ凸湾曲状とされる面取り部４Ｂ１が形成されている。従って使用者は、タブレットやスマートフォンを手に持って背凭れ４に凭れ掛かった場合においても、使用者の上腕の後ろの部位（いわゆる上腕三頭筋が位置する部位）が背凭れ４Ｂに干渉することがない。従って、使用者は、背凭れ４Ｂの両端縁近傍から後方に腕を下げても容易に肘掛部３１の平坦面部３１ａに肘をつくことができる。なお、面取り部４Ｂ１は、凸湾曲状に限られず、Ｒ面取り状やＣ面取り状とすることもできる。
【００２８】
以上、本発明の実施形態について説明したが、本発明は以上の実施形態によっては限定されることはなく、種々の形態で実施することができる。例えば、肘掛部１１，２１，３１は、いずれも背凭れ４の両端縁近傍から前方に突出されているがこれに限られず、例えば、背凭れにおける背中が当たる面から前方に向けて突出する肘掛部とすることもできる。また、肘掛ユニット１０，２０，３０の接続部１１ｂ，２１ｂを省略して肘掛部１１，２１，３１を直接背凭れ４，４Ａ，４Ｂと後傾動が連動するよう形成しても良い。
【符号の説明】
【００２９】
１      椅子                      １Ａ    椅子
１Ｂ    椅子                      ２      脚
２ａ    キャスター                ３      座
４      背凭れ                    ４Ａ    背凭れ
４Ｂ    背凭れ                    ４Ｂ１  面取り部
５      リクライニング機構        ５ａ    背アーム
１０    肘掛ユニット              １１    肘掛部
１１ａ  平坦面部                  １１ｂ  接続部
１１ｃ  肘掛アーム                １２    開口部
１３    固定板                    １３ａ  ねじ固定部
２０    肘掛ユニット              ２１    肘掛部
２１ａ  平坦面部                  ２１ｂ  接続部
２１ｃ  肘掛アーム                ２１ｄ  固定部
２１ｅ  固定部                    ３０    肘掛ユニット
３１    肘掛部                    ３１ａ  平坦面部
３１ｂ  接続部                    ３１ｃ  肘掛アーム
【図１】
2017108933.tif 000003
【図２】
2017108933.tif 000004
【図３】
2017108933.tif 000005
【図４】
2017108933.tif 000006
【図５】
2017108933.tif 000007
【図６】
2017108933.tif 000008
【図７】
2017108933.tif 000009
【図８】
2017108933.tif 000010